(57)【要約】【課題】入力デバイスの色データに基づき複数の出力デバイスから色一貫性の保持された出力物を得る際に、複数の出力デバイスの色再現領域内にマッピングされた色の再現領域を大きくする画像処理方法及び装置並びにプログラムを提供する。【解決手段】各出力デバイス２１〜２３の色再現領域全体Ａ、Ｂ、Ｃまで使って入力デバイス１２の色データを出力デバイス２１〜２３の色データにマッピングするように工夫したので、マッピングされた色の再現領域が小さくなることがない。【選択図】図６
2011155496.tif 000002
【特許請求の範囲】
【請求項１】
入力デバイスの色データに基づき複数の出力デバイスから色一貫性の保持された画像出力物を得る際の画像処理方法であって、
複数の出力デバイスの色再現共通領域の表面と各出力デバイスのグレイ軸とを結ぶ線上、内側に出力デバイスの共通色再現内側領域を設定するステップと、
入力デバイスの色再現領域の表面と入力デバイスのグレイ軸とを結ぶ線上、内側に入力デバイスの色再現内側領域を設定するステップと、
前記入力デバイスの色データを複数の出力デバイスの色再現領域へマッピングするステップと、を有し、
前記マッピングするステップでは、
入力デバイスの色再現内側領域から出力デバイスの共通色再現内側領域へマッピングするとともに、入力デバイスの色再現内側領域の表面から入力デバイスの色再現領域の表面までの領域は、入力デバイスのグレイ軸と入力デバイスの色再現領域の表面とを結ぶ線上から、出力デバイスのグレイ軸と各出力デバイスの色再現領域の表面とを結ぶ線上にマッピングする
ことを特徴とする画像処理方法。
【請求項２】
請求項１記載の画像処理方法において、
複数の出力デバイスの色再現共通領域の表面と各出力デバイスのグレイ軸とを結ぶ線上、内側に出力デバイスの共通色再現内側領域を設定するステップでは、
複数の出力デバイスの色再現共通領域の表面と各出力デバイスのグレイ軸とを結ぶ線上、一律内側に出力デバイスの共通色再現内側領域を設定する
ことを特徴とする画像処理方法。
【請求項３】
請求項１記載の画像処理方法において、
複数の出力デバイスの色再現共通領域の表面と各出力デバイスのグレイ軸とを結ぶ線上、内側に出力デバイスの共通色再現内側領域を設定するステップでは、
前記共通色再現内側領域を、前記グレイ軸を中心に一定の半径で囲まれる領域に設定する
ことを特徴とする画像処理方法。
【請求項４】
請求項１記載の画像処理方法において、
複数の出力デバイスの色再現共通領域の表面と各出力デバイスのグレイ軸とを結ぶ線上、内側に出力デバイスの共通色再現内側領域を設定するステップでは、
前記共通色再現内側領域を、前記複数の出力デバイスの色再現共通領域の重心から一定の距離内の領域に設定する
ことを特徴とする画像処理方法。
【請求項５】
請求項１〜４のいずれか１項に記載の画像処理方法において、
前記マッピングするステップの後に、複数の出力デバイス中、第１出力デバイスの色再現領域内で色調整を行って、基準画像出力物を得るステップと、
前記色調整により出力デバイスの共通色再現内側領域が変化した後の出力デバイスの共通色再現内側領域と、変化前の出力デバイスの共通色再現内側領域との積領域を計算して、出力デバイスの共通色再現内側領域を再設定するステップと、
再設定された出力デバイスの共通色再現内側領域に対応する前記色調整前の出力デバイスの新たな共通色再現内側領域を計算するステップと、
計算された前記色調整前の出力デバイスの新たな共通色再現内側領域に対応する入力デバイスの新たな色再現内側領域を計算するステップと、
前記入力デバイスの色データを複数の出力デバイスの色再現領域へ再マッピングするステップと、を有し、
前記再マッピングするステップでは、
入力デバイスの新たな色再現内側領域から出力デバイスの新たな共通色再現内側領域へマッピングするとともに、入力デバイスの新たな色再現内側領域の表面から入力デバイスの色再現領域の表面までの領域は、入力デバイスのグレイ軸と入力デバイスの色再現領域の表面とを結ぶ線上から、出力デバイスのグレイ軸と各出力デバイスの色再現領域の表面とを結ぶ線上にマッピングする
ことを特徴とする画像処理方法。
【請求項６】
入力デバイスの色データに基づき複数の出力デバイスから色一貫性の保持された画像出力物を得る際の画像処理装置であって、
複数の出力デバイスの色再現共通領域の表面と各出力デバイスのグレイ軸とを結ぶ線上、内側に出力デバイスの共通色再現内側領域を設定する設定部と、
入力デバイスの色再現領域の表面と入力デバイスのグレイ軸とを結ぶ線上、内側に入力デバイスの色再現内側領域を設定する設定部と、
前記入力デバイスの色データを複数の出力デバイスの色再現領域へマッピングするマッピング部と、を有し、
前記マッピング部は、
入力デバイスの色再現内側領域から出力デバイスの共通色再現内側領域へマッピングするとともに、入力デバイスの色再現内側領域の表面から入力デバイスの色再現領域の表面までの領域は、入力デバイスのグレイ軸と入力デバイスの色再現領域の表面とを結ぶ線上から、出力デバイスのグレイ軸と各出力デバイスの色再現領域の表面とを結ぶ線上にマッピングする
ことを特徴とする画像処理装置。
【請求項７】
コンピュータを、
入力デバイスの色データに基づき複数の出力デバイスから色一貫性の保持された画像出力物を得る際に、
複数の出力デバイスの色再現共通領域の表面と各出力デバイスのグレイ軸とを結ぶ線上、内側に出力デバイスの共通色再現内側領域を設定する設定部と、
入力デバイスの色再現領域の表面と入力デバイスのグレイ軸とを結ぶ線上、内側に入力デバイスの色再現内側領域を設定する設定部と、
前記入力デバイスの色データを複数の出力デバイスの色再現領域へマッピングするマッピング部と、して機能させ、
前記マッピング部は、
入力デバイスの色再現内側領域から出力デバイスの共通色再現内側領域へマッピングするとともに、入力デバイスの色再現内側領域の表面から入力デバイスの色再現領域の表面までの領域は、入力デバイスのグレイ軸と入力デバイスの色再現領域の表面とを結ぶ線上から、出力デバイスのグレイ軸と各出力デバイスの色再現領域の表面とを結ぶ線上にマッピングするように
機能させるための画像処理プログラム。
【発明の詳細な説明】
【技術分野】
【０００１】
この発明は、入力デバイスの色データに基づき複数の出力デバイスから色一貫性の保持された印刷物等の出力物を得る際の画像処理方法及び装置並びにプログラムに関する。
【０００２】
なお、この明細書において、入力デバイスは、例えば、デジタルカメラ、スキャナ、及びオペレータがモニタを見ながら画像を作成可能なコンピュータ等の画像データ生成デバイスであり、画像データ（入力デバイスの色データという。）を出力可能なデバイスである。出力デバイスは、オフセット印刷機、インクジェットプリンタ、電子複写機等の画像形成デバイスである。
【背景技術】
【０００３】
一の入力デバイスの色データを用いて、出力デバイス、例えばオフセット印刷機により大量の印刷物を作成する際、デバイス依存の色データである入力デバイスの色データ（例えば、ＡｄｏｂｅＲＧＢやｓＲＧＢ等のＲＧＢ）を入力プロファイルにより入力色再現領域内の均等色空間の色データ（例えば、Ｌ*ａ*ｂ*、以下Ｌａｂという。Ｌは明度（明度軸又はグレイ軸ともいう。）、ａ、ｂは色度（色度軸ともいう。）を表す。）に変換した後、変換された入力色再現領域内の均等色空間の色データ（この色データも入力デバイスの色データに対応する。）を、出力色再現領域内の均等色空間の色データにマッピングし、マッピング後の色データを出力プロファイルにより出力デバイスのデバイス依存の色データである出力デバイスの色データ（例えば、ＣＭＹＫ）に変換し、この出力デバイスの色データに基づきＣＭＹＫ各版の刷版を作成する。
【０００４】
ＣＭＹＫ各版の刷版が前記オフセット印刷機に装着され、刷版に担持されたＣＭＹＫのインキが本紙上に転移されて多色（ここでは、４色）刷りが行われることで印刷物が完成する。
【０００５】
ここで、入力デバイスの色データから入力均等色空間の色データへの変換、入力均等色空間の色データのマッピング処理による出力均等色空間の色データへの変換、及び出力均等色空間の色データから出力デバイスの色データへのデータ変換を標準変換という。
【０００６】
前記オフセット印刷機により大量に印刷物を作成した後に、前記印刷物を少量増刷しようとするとき、他の出力デバイス、例えば、インクジェットプリンタや電子複写機が用いられるが、前記印刷物に形成された画像と色の見えが同一となる画像をハードコピーに形成しようとする際、インクジェットプリンタでの標準変換及び電子複写機での標準変換と、前記オフセット印刷機での標準変換との間で色一貫性が確保されている必要がある。
【０００７】
なお、色一貫性とは、複数の印刷機を例として説明すれば、複数の印刷機で同一の画像を印刷した場合の印刷物において、見えが同一になる特性のことである。そして、見えが同一とは、複数の印刷機の色再現領域、いわゆるガマットがほぼ同じ場合は印刷物の色が測色的に一致することをいい、複数の印刷機のガマットが異なる場合には、印刷物の色が印象的に一致することをいう。
【０００８】
すなわち、色一貫性とは、複数の印刷機を例として説明すれば、ガマットが異なる複数の印刷機で印刷された印刷物同士の印象的一致をいい、ガマットが同じ複数の印刷機で印刷された印刷物同士での測色的一致をいう。
【０００９】
ここで、入力デバイスから複数出力デバイス群への標準変換が規定されており、その標準変換で複数デバイス間の色一貫性が確保されている従来技術を説明する（特許文献１）。
【００１０】
この特許文献１に開示された技術では、図１９のＬａｂ表色系色度図に模式的に示すように、入力デバイスの色再現領域Ｐ（内の入力デバイスの色データ）を、第１出力デバイス（例えば、前記オフセット印刷機）の色再現領域Ａと第２出力デバイス（例えば、前記インクジェットプリンタ）の色再現領域Ｂと第３出力デバイス（例えば、前記電子複写機）の色再現領域Ｃとが重なる共通色再現領域Ｄ（内の出力デバイスの色データ）内にマッピングするように構成している。
【先行技術文献】
【特許文献】
【００１１】
【特許文献１】特開平１０−７９８６５号公報（［００１６］、［００２２］、図５、図６）
【発明の概要】
【発明が解決しようとする課題】
【００１２】
ところで、共通色再現領域Ｄの外で、かつ色再現領域Ａ、Ｂ、Ｃ内の色は、例えば色相保存を重視して圧縮処理されるが、共通色再現領域Ｄの表面から色差が大きい色は圧縮率が大きくなり、共通色再現領域Ｄ内の色は圧縮されないので、共通色再現領域Ｄの大きさが小さい場合、共通色再現領域Ｄ内にマッピングされた色は、再現領域が小さくなってしまうという問題がある。
【００１３】
この発明はこのような課題を考慮してなされたものであり、入力デバイスの色データに基づき複数の出力デバイスから色一貫性の保持された出力物を得る際に、複数の出力デバイスの色再現領域内にマッピングされた色の再現領域を大きくすることを可能とする画像処理方法及び装置並びにプログラムを提供することを目的とする。
【００１４】
また、この発明は、一旦、色一貫性を確立した後に、オペレータが出力デバイスの色データ、例えば、ＣＭＹＫ各色データ上で色調整を行ったとしても、色調整を行った出力デバイスの基準画像出力物と残りの出力デバイスの出力物の間の色一貫性を自動で保持することを可能とする画像処理方法及び装置並びにプログラムを提供することを目的とする。
【課題を解決するための手段】
【００１５】
この発明に係る画像処理方法及び装置並びにプログラムは、入力デバイスの色データに基づき複数の出力デバイスから色一貫性の保持された画像出力物を得る際に、複数の出力デバイスの色再現共通領域の表面と各出力デバイスのグレイ軸とを結ぶ線上、内側に出力デバイスの共通色再現内側領域を設定し、入力デバイスの色再現領域の表面と入力デバイスのグレイ軸とを結ぶ線上、内側に入力デバイスの色再現内側領域を設定し、前記入力デバイスの色データを複数の出力デバイスの色再現領域へマッピングするが、このマッピングでは、入力デバイスの色再現内側領域から出力デバイスの共通色再現内側領域へマッピングするとともに、入力デバイスの色再現内側領域の表面から入力デバイスの色再現領域の表面までの領域は、入力デバイスのグレイ軸と入力デバイスの色再現領域の表面とを結ぶ線上から、出力デバイスのグレイ軸と各出力デバイスの色再現領域の表面とを結ぶ線上にマッピングするようにしている。
【００１６】
なお、上記の複数の出力デバイスの色再現共通領域の表面と各出力デバイスのグレイ軸とを結ぶ線上、内側に出力デバイスの共通色再現内側領域を設定するステップでは、複数の出力デバイスの色再現共通領域の表面と各出力デバイスのグレイ軸とを結ぶ線上、一律内側に出力デバイスの共通色再現内側領域を設定するようにしてもよい。
【００１７】
また、上記の複数の出力デバイスの色再現共通領域の表面と各出力デバイスのグレイ軸とを結ぶ線上、内側に出力デバイスの共通色再現内側領域を設定するステップでは、前記共通色再現内側領域を、前記グレイ軸を中心に一定の半径で囲まれる領域に設定するようにしてもよい。
【００１８】
さらに、上記の複数の出力デバイスの色再現共通領域の表面と各出力デバイスのグレイ軸とを結ぶ線上、内側に出力デバイスの共通色再現内側領域を設定するステップでは、前記共通色再現内側領域を、前記複数の出力デバイスの色再現共通領域の重心から一定の距離内の領域に設定するようにしてもよい。
【００１９】
この場合において、前記マッピングした後に、複数の出力デバイス中、第１出力デバイスの色再現領域内で色調整を行って、基準画像出力物を得たときには、前記色調整により出力デバイスの共通色再現内側領域が変化した後の出力デバイスの共通色再現内側領域と、変化前の出力デバイスの共通色再現内側領域との積領域を計算して、出力デバイスの共通色再現内側領域を再設定し、再設定された出力デバイスの共通色再現内側領域に対応する前記色調整前の出力デバイスの再設定共通色再現内側領域を計算し、計算された前記色調整前の出力デバイスの再設定共通色再現内側領域に対応する入力デバイスの再設定色再現内側領域を計算し、前記入力デバイスの色データを複数の出力デバイスの色再現領域へ再マッピングする際、当該再マッピングでは、入力デバイスの再設定色再現内側領域から出力デバイスの再設定共通色再現内側領域へマッピングするとともに、入力デバイスの再設定色再現内側領域の表面から入力デバイスの色再現領域の表面までの領域は、入力デバイスのグレイ軸と入力デバイスの色再現領域の表面とを結ぶ線上から、出力デバイスのグレイ軸と各出力デバイスの色再現領域の表面とを結ぶ線上にマッピングするようにしている。
【発明の効果】
【００２０】
この発明によれば、各出力デバイスの色再現領域全体まで使って入力デバイスの色データを出力デバイスの色データにマッピングするように工夫したので、マッピングされた色の再現領域が小さくなることがない。
【００２１】
この発明によれば、一旦、色一貫性を確立した後に、オペレータが出力デバイスの色データ、例えば、ＣＭＹＫ各色データ上で色調整を行ったとしても、色調整を行った出力デバイスの基準画像出力物と残りの出力デバイスの出力物の間の色一貫性を自動で保持することができる。
【図面の簡単な説明】
【００２２】
【図１】この発明の一実施形態に係る画像処理方法が適用された画像形成システムの全体概略構成図である。
【図２】第１〜第３出力デバイスの均等色空間上の各色再現領域の模式的説明図である。
【図３】画像形成システム中、標準変換部の構成ブロック図である。
【図４】画像処理部の動作説明に供されるフローチャートである。
【図５】入力デバイスの色再現内側領域と出力デバイスの共通色再現内側領域との関係説明図である。
【図６】第１実施例に係る入力デバイスの色を第１出力デバイスの色にマッピングする処理の説明図である。
【図７】第１実施例に係る入力デバイスの色を第２出力デバイスの色へマッピングする処理の説明図である。
【図８】第１実施例に係る入力デバイスの色を第３出力デバイスの色へマッピングする処理の説明図である。
【図９】オペレータによる色調整部を利用した色調整の概念説明図である。
【図１０】色調整による色再現共通領域の変化の説明図である。
【図１１】再設定共通色再現内側領域の説明図である。
【図１２】再設定共通色再現内側領域の色調整前の領域の説明図である。
【図１３】出力デバイスの色調整前の再設定共通色再現内側領域に対応する入力デバイスの再設定色再現内側領域の説明図である。
【図１４】入力デバイスの再設定色再現領域と出力デバイスの再設定共通色再現内側領域との対応関係説明図である。
【図１５】第２実施例に係る入力デバイスの色を第２出力デバイスの色へ再マッピングする処理の説明図である。
【図１６】第２実施例に係る入力デバイスの色を第３出力デバイスの色へ再マッピングする処理の説明図である。
【図１７】入力デバイスの色再現内側領域と出力デバイスの共通色再現内側領域の他の設定の仕方の説明図である。
【図１８】入力デバイスの色再現内側領域と出力デバイスの共通色再現内側領域のさらに他の設定の仕方の説明図である。
【図１９】従来技術に係る入力デバイスの色再現領域と複数の出力デバイスの共通色再現領域との間のマッピング処理の説明図である。
【発明を実施するための形態】
【００２３】
以下、この発明に係る画像処理方法及び装置並びにプログラムの実施形態について、これを実施する画像形成システムを例として、添付の図面を参照しながら説明する。なお、以下に参照する図面において、図１９に示したものと同一のものには同一の符号を付ける。
【００２４】
［第１実施例］
図１は、第１実施例に係る画像形成システム１０の全体概略構成図を示している。
【００２５】
画像形成システム１０は、入力デバイスの色データ（ＡｄｏｂｅＲＧＢあるいはｓＲＧＢ等のＲＧＢデータ）を出力する１台の入力デバイス１２（上述した画像データ生成デバイス）と、入力デバイスの色データを第１〜第３出力デバイスの色データ（ＣＭＹＫデータ）に変換して出力する画像処理装置１４と、第１〜第３出力デバイスの色データに基づきＣＭＹＫ色の組み合わされた第１〜第３画像がそれぞれ形成された印刷物３１〜３３（画像出力物）を出力する第１〜第３出力デバイス２１〜２３（上述した画像形成デバイス）とから構成される。
【００２６】
この実施形態において、第１出力デバイス２１は、オフセット印刷機、第２出力デバイス２２は、インクジェットプリンタ、第３出力デバイスは、電子複写機であるものとする。
【００２７】
図２は、第１〜第３出力デバイス２１〜２３の均等色空間（ここでは、Ｌａｂ空間）上の色再現領域Ａ、Ｂ、Ｃを模式的に示している。第１〜第３出力デバイス２１〜２３の共通色再現領域Ｄは、色再現領域Ａ〜Ｃが重なる領域である。この図２は、上述した図１９の一部を再掲した図である。
【００２８】
図１に示した画像処理装置１４は、パーソナルコンピュータであり、各種入力に基づきＣＰＵがＲＯＭに記録されたプロファイル等のテーブル等を参照しかつＲＯＭに記録されたプログラムを実行することで各種機能部として動作する。
【００２９】
この第１実施例において、画像処理装置１４は、第１〜第３標準変換部４１〜４３として動作する。
【００３０】
図３に示すように、第１〜第３標準変換部４１〜４３は、入力デバイスの色データを、一旦、入力色再現領域Ｐ（図１９参照）内の均等色空間の色データ（ここでは、Ｌａｂ。）に変換する入力プロファイル（ソースプロファイルともいう。）４４と、入力デバイス１２の入力色再現領域Ｐ（図１９参照）内の均等色空間の色データを、第１〜第３出力デバイス２１〜２３の各色再現領域Ａ〜Ｃ内の均等色空間の色データに変換（マッピング）する画像処理部５１〜５３と、第１〜第３出力デバイス２１〜２３の各色再現領域Ａ〜Ｃ内の均等色空間の色データを第１〜第３出力デバイス２１〜２３の各第１〜第３出力デバイスの色データに変換する出力プロファイル（ディスティネーションプロファイルともいう。）６１〜６３と、を備える。なお、図３では、理解の便宜のために入力プロファイル４４のブロックを３個描いているが、同一のものであり、ＲＯＭには、１個のみ格納されている。
【００３１】
画像処理部５１〜５３は、それぞれ、詳細を後述する設定部７２、計算部７４、及びマッピング部７６等を備える。画像処理装置１４の第１〜第３標準変換部４１〜４３は、いわゆるＰＣＳ（Ｐｒｏｆｉｌｅ  Ｃｏｎｎｅｃｔｉｏｎ  Ｓｐａｃｅ）でのデータ変換部である。ＰＣＳには、Ｌａｂ均等色空間の他、ＸＹＺ均等色空間等がある。
【００３２】
第１実施例に係る画像形成システム１０は、基本的には、以上のように構成されるものであり、次に、画像処理部５１の動作を中心として図４のフローチャートを参照しながら説明する。
【００３３】
まず、ステップＳ１において、図５に示すように、設定部７２は、第１〜第３出力デバイス２１〜２３の色再現共通領域Ｄの表面ＤＡｓ、ＤＢｓ、ＤＣｓ｛それぞれ、色再現領域Ａ、Ｂ、ＣのＬａｂ色空間（３次元空間）上での表面で色再現共通領域Ｄの立体を形成する表面｝と、グレイ軸（Ｌ軸）とを結ぶ線ＬＳ（線ＬＳはグレイ軸に直交）上で一律、色度ΔＳ分内側にした共通色再現内側領域Ｄｓを設定する。
【００３４】
次に、ステップＳ２において、設定部７２は、その図５に示すように、入力デバイス１２の色再現領域Ｐの表面Ｐｓと、グレイ軸とを結ぶ線ＬＦ（線ＬＦはグレイ軸に直交）上で一律、色度ΔＦ分内側（色度ΔＦと色度ΔＳは、同一又は異なる値）に入力デバイス１２の色再現内側領域Ｄｆを設定する。
【００３５】
次いで、ステップＳ３において、マッピング部７６は、入力デバイスの色データを第１〜第３の出力デバイス２１〜２３の色再現領域に、以下に説明するようにマッピングする。
【００３６】
すなわち、図６に示すように、入力デバイスの色データを第１の出力デバイス２１の色再現領域Ａにマッピングする際には、入力デバイス１２の色再現内側領域Ｄｆ内の入力デバイスの色データ（Ｌａｂデータ）を出力デバイス２１〜２３の共通色再現内側領域Ｄｓ内の出力デバイスの色データ（Ｌａｂデータ）へマッピングするとともに、入力デバイス１２の色再現内側領域Ｄｆの表面Ｄｆｓから入力デバイス１２の色再現領域Ｐの表面Ｐｓまでの領域Ｐｅ（図６中、入力デバイス１２側の点々を付けた領域（中空の外殻的領域））内の入力デバイスの色データ（Ｌａｂデータ）は、入力デバイス１２のグレイ軸と入力デバイス１２の色再現領域Ｐの表面Ｐｓを結ぶ線ＬＦ（線ＬＦは入力デバイス１２のグレイ軸と直交）上の入力デバイスの色データ（Ｌａｂデータ）から、出力デバイス２１〜２３のグレイ軸と第１出力デバイス２１の色再現領域Ａの表面ＤＡｓを結ぶ線ＬＳ（線ＬＳは出力デバイス２１〜２３のグレイ軸と直交）上の出力デバイスの色データ（Ｌａｂデータで、このＬａｂデータは、図６中、第１出力デバイス２１側の点々を付けた中空の外殻的領域Ａｅ内に存在するデータ又は補間されたデータである。）にマッピングする。
【００３７】
同様に、図７に示すように、入力デバイスの色データを第２の出力デバイス２２の色再現領域Ｂにマッピングする際には、入力デバイス１２の色再現内側領域Ｄｆ内の入力デバイスの色データ（Ｌａｂデータ）を出力デバイス２１〜２３の共通色再現内側領域Ｄｓ内の出力デバイスの色データ（Ｌａｂデータ）へマッピングするとともに、入力デバイス１２の色再現内側領域Ｄｆの表面Ｄｆｓから入力デバイス１２の色再現領域Ｐの表面Ｐｓまでの領域Ｐｅ内の入力デバイスの色データ（Ｌａｂデータ）は、入力デバイス１２のグレイ軸と入力デバイス１２の色再現領域Ｐの表面Ｐｓとを結ぶ線ＬＦ（線ＬＦは入力デバイス１２のグレイ軸と直交）上の入力デバイスの色データ（Ｌａｂデータ）から、出力デバイス２１〜２３のグレイ軸と第２出力デバイス２２の色再現領域Ｂの表面ＤＢｓを結ぶ線ＬＳ（線ＬＳは出力デバイス２１〜２３のグレイ軸と直交）上の出力デバイスの色データ（Ｌａｂデータで、このＬａｂデータは、図７中、第２出力デバイス２２側の点々を付けた中空の外殻的領域Ｂｅ内に存在するデータ又は補間されたデータである。）にマッピングする。
【００３８】
同様に、図８に示すように、入力デバイスの色データを第３の出力デバイス２３の色再現領域Ｃにマッピングする際には、入力デバイス１２の色再現内側領域Ｄｆ内の入力デバイスの色データ（Ｌａｂデータ）を出力デバイス２１〜２３の共通色再現内側領域Ｄｓ内の出力デバイスの色データ（Ｌａｂデータ）へマッピングするとともに、入力デバイス１２の色再現内側領域Ｄｆの表面Ｄｆｓから入力デバイス１２の色再現領域Ｐの表面Ｐｓまでの領域Ｐｅ内の入力デバイスの色データ（Ｌａｂデータ）は、入力デバイス１２のグレイ軸と入力デバイス１２の色再現領域Ｐの表面Ｐｓとを結ぶ線ＬＦ（線ＬＦは入力デバイス１２のグレイ軸と直交）上の入力デバイスの色データ（Ｌａｂデータ）から、出力デバイス２１〜２３のグレイ軸と第３出力デバイス２３の色再現領域Ｃの表面ＤＣｓを結ぶ線ＬＳ（線ＬＳは出力デバイス２１〜２３のグレイ軸と直交）上の出力デバイスの色データ（Ｌａｂデータで、このＬａｂデータは、図８中、第３出力デバイス２３側の点々を付けた中空の外殻的領域Ｃｅ内に存在するデータ又は補間されたデータである。）にマッピングする。
【００３９】
以上説明したように第１実施例によれば、同一の入力デバイスの色データに基づき第１〜第３の出力デバイス２１〜２３から色一貫性の保持された印刷物３１〜３３（出力物）を得る際に、入力デバイス１２の色再現範囲Ｐを、色再現内側領域Ｄｆと外殻的領域Ｐｅとに分けるとともに、出力デバイス２１〜２３の色再現範囲Ａ〜Ｃを、共通色再現内側領域Ｄｓと個別の外殻的領域Ａｅ、Ｂｅ、Ｃｅに分け、入力デバイス１２の色再現内側領域Ｄｆ内の入力デバイスの色データ（Ｌａｂデータ）を、出力デバイス２１〜２３の共通色再現内側領域Ｄｓにマッピングするとともに、入力デバイス１２の外殻的領域Ｐｅ内の入力デバイスの色データ（Ｌａｂデータ）を、出力デバイス２１〜２３の個別の外殻的領域Ａｅ、Ｂｅ、Ｃｅ内の出力デバイスの色データ（Ｌａｂデータ）にマッピングするようにしたので、第１〜第３の出力デバイス２１〜２３の色再現領域Ａ〜Ｃにマッピングされた色の再現領域を、図１９を参照して説明した従来技術に比較して大きくすることができる。
【００４０】
［第２実施例］
第１実施例の画像形成システム１０を変形した図９に示す第２実施例の画像形成システム１０Ａにおいて、ステップＳ３のマッピング処理後、印刷物３１（図１）を出力する前に、ステップＳ４において、色調整部７１を利用して、色調整前の第１出力デバイスの色データ（ＣＭＹＫデータ）に対してオペレータが色調整（ＣＭＹＫデータ個別の階調変換処理）を行い、色調整後の第１出力デバイスの色データ（ＣＭＹＫデータ）を生成し、この色調整後の第１出力デバイスの色データに基づいて、第１出力デバイス２１（この第２実施例でも、オフセット印刷機とする。）により基準画像印刷物３１ｒ（基準画像出力物）（図９）を作成する処理が行われる場合がある。
【００４１】
このように、色調整部７１により色調整後に第１出力デバイス２１（オフセット印刷機）により大量に基準画像印刷物３１ｒを作成し、その後に、例えば、基準画像印刷物３１ｒの売れ行きがよいため、さらに、印刷物を少量増刷しようとするとき、第２出力デバイス２２（この第２実施例でも、インクジェットプリンタとする。）や、第３出力デバイス２３（この第３実施例でも、電子写真複写機とする。）により、基準画像印刷物３１ｒに対応する（画像の色の見えが同一となる）印刷物３２ｒや印刷物３３ｒを増刷する場合がある。しかし、ステップＳ４の色調整処理のため、上述したステップＳ３のマッピング処理での第２出力デバイス２２及び第３出力デバイス２３の第１出力デバイス２１に対する色の一貫性が崩壊してしまい、第１実施例に係る技術では、基準画像印刷物３１ｒと同一の色の見えを有する画像を印刷物３２、３３では再現することができない。
【００４２】
すなわち、図１０に示すように、色調整した結果、共通色再現領域Ｄｓが、色調整後の色再現領域Ｄｓ１に変化してしまい、この色再現領域Ｄｓ１は第１出力デバイス２１の色再現領域Ａでは再現できるが、第２及び第３出力デバイス２２、２３の色再現領域Ｂ、Ｃ外の色となるので色を再現することができず、第２及び第３出力デバイス２２、２３では、基準画像印刷物３１ｒと同一の色の見えを有する画像を担持した印刷物３２、３３（ハードコピー）を作成することができないことになる。
【００４３】
従来、このような場合、オペレータが、第２及び第３デバイスデータを、図示しない調整部を利用して調整したり、第２及び第３出力デバイス２２、２３の印刷パラメータ（水分量、温度等）や色データを手作業により調整して試行錯誤を繰り返し、基準画像印刷物３１ｒと同一の色の見えを有する画像を印刷物３２ｒ、３３ｒで再現しようとするが、手作業のため工数が大幅に増加し、また作業者の熟練程度によりばらつきが大きいという問題がある。また、第２及び第３出力デバイス２２、２３の個別の色再現領域Ｂ、Ｃに応じた基準画像印刷物３１ｒへの合わせ込み作業のため、結局の所、第１〜第３出力デバイス２１〜２３の色一貫性が不十分になるという問題もある。
【００４４】
この第２実施例では、これらの問題を解決し、一度、色一貫性を確立した後（第１実施例）、一の出力デバイス、この第２実施例では、例えば、第１出力デバイス２１に関してオペレータが色調整を行い、基準画像印刷物３１ｒが作成された場合においても、他の出力デバイス、この第２実施例では、第２及び第３出力デバイス２２、２３の印刷物３２ｒ、３３ｒの画像の色の見えが、基準画像印刷物３１ｒの色の見えと同等となるよう、自動的に、色一貫性が確保される画像処理を提供する。
【００４５】
そのため、まず、ステップＳ５において、出力デバイス２１〜２３の共通色再現内側領域Ｄｓを再設定する。
【００４６】
この場合、図１１に示すように、共通色再現内側領域Ｄｓと、色調整後の色再現領域Ｄｓ１との積をとり、積領域を、再設定共通色再現内側領域Ｄｓ２とする。積領域をとる具体的な処理例としては、第１に、色調整前の画像に係る共通色再現内側領域Ｄｓ内の第１出力デバイスの色データ（画素群）を抽出する。第２に、抽出した第１出力デバイスの色データ（画素群）に対応する色調整後の画像に係る第１出力デバイスの色データ（画素群）を特定する。第３に、前記第１と第２の処理結果で共通する第１出力デバイスの色データ（画素群）の存在領域を、再設定共通色再現内側領域Ｄｓ２とする。
【００４７】
次いで、ステップＳ６において、図１２に示すように、再設定共通色再現内側領域Ｄｓ２の色調整前の出力デバイスの領域（色調整前の再設定共通色再現内側領域）Ｄｓ３を特定する。
【００４８】
さらに、ステップＳ７において、図１３に示すように、色調整前の出力デバイスの再設定共通色再現内側領域Ｄｓ３について、入力デバイス１２で対応する領域（再設定色再現内側領域）Ｄｆ１を特定する。
【００４９】
次に、ステップＳ８において、図１４に示すように、入力デバイス１２の再設定色再現内側領域Ｄｆから出力デバイス２１の調整後の再設定共通色再現領域Ｄｓ２へのマッピングを再定義する。
【００５０】
次いで、マッピング部７６は、入力デバイスの色データを複数の出力デバイス２１〜２３の色再現領域へ再マッピングする。
【００５１】
すなわち、図１５に示すように、入力デバイスの色データを第２の出力デバイス２２の色再現領域Ｂにマッピングする際には、入力デバイス１２の再設定色再現内側領域Ｄｆ１内の入力デバイスの色データ（Ｌａｂデータ）を出力デバイス２１〜２３の再設定共通色再現内側領域Ｄｓ２内の出力デバイスの色データ（Ｌａｂデータ）へマッピングするとともに、入力デバイス１２の再設定色再現内側領域Ｄｆ１の表面Ｄｆｓ１から入力デバイス１２の色再現領域Ｐの表面Ｐｓまでの領域Ｐｅ内の入力デバイスの色データ（Ｌａｂデータ）は、入力デバイス１２のグレイ軸と入力デバイス１２の色再現領域Ｐの表面Ｐｓとを結ぶ線ＬＦ（線ＬＦは入力デバイス１２のグレイ軸と直交）上の入力デバイスの色データ（Ｌａｂデータ）から、出力デバイス２１〜２３のグレイ軸と第２出力デバイス２２の色再現領域Ｂの表面ＤＢｓを結ぶ線ＬＳ（線ＬＳは出力デバイス２１〜２３のグレイ軸と直交）上の出力デバイスの色データ（Ｌａｂデータで、このＬａｂデータは、図１５中、第２出力デバイス２２側の点々を付けた中空の外殻的領域Ｂｅ内に存在するデータ又は補間されたデータである。）にマッピングする。
【００５２】
同様に、図１６に示すように、入力デバイスの色データを第３の出力デバイス２３の色再現領域Ｃにマッピングする際には、入力デバイス１２の再設定色再現内側領域Ｄｆ１内の入力デバイスの色データ（Ｌａｂデータ）を出力デバイス２１〜２３の再設定共通色再現内側領域Ｄｓ２内の出力デバイスの色データ（Ｌａｂデータ）へマッピングするとともに、入力デバイス１２の再設定色再現内側領域Ｄｆ１の表面Ｄｆｓ１から入力デバイス１２の色再現領域Ｐの表面Ｐｓまでの領域Ｐｅ内の入力デバイスの色データ（Ｌａｂデータ）は、入力デバイス１２のグレイ軸と入力デバイス１２の色再現領域Ｐの表面Ｐｓとを結ぶ線ＬＦ（線ＬＦは入力デバイス１２のグレイ軸と直交）上の入力デバイスの色データ（Ｌａｂデータ）から、出力デバイス２１〜２３のグレイ軸と第３出力デバイス２３の色再現領域Ｃの表面ＤＣｓを結ぶ線ＬＳ（線ＬＳは出力デバイス２１〜２３のグレイ軸と直交）上の出力デバイスの色データ（Ｌａｂデータで、このＬａｂデータは、図１６中、第３出力デバイス２３側の点々を付けた中空の外殻的領域Ｃｅ内に存在するデータ又は補間されたデータである。）にマッピングする。
【００５３】
以上説明したように第２実施例によれば、第１実施例によりマッピングした後に、複数の出力デバイス２１〜２３中、第１出力デバイス２１の色再現領域Ａ内で色調整を行って、基準画像印刷物３１ｒを得たときには、前記色調整により出力デバイス２１〜２３の共通色再現内側領域Ｄｓが変化した後の出力デバイスの共通色再現内側領域Ｄｓ１と、変化前の出力デバイスの共通色再現内側領域Ｄｓとの積領域を計算して、出力デバイスの共通色再現内側領域Ｄｓ１を再設定し、再設定された出力デバイスの共通色再現内側領域Ｄｓ２に対応する前記色調整前の出力デバイスの再設定共通色再現内側領域Ｄｓ３を計算し、計算された前記色調整前の出力デバイスの再設定共通色再現内側領域Ｄｓ３に対応する入力デバイスの再設定色再現内側領域Ｄｆ１を計算し、前記入力デバイスの色データを複数の出力デバイスの色再現領域へ再マッピングする際、当該再マッピングの処理では、入力デバイスの再設定色再現内側領域Ｄｆ１から出力デバイスの再設定共通色再現内側領域Ｄｓ２へマッピングするとともに、入力デバイスの再設定色再現内側領域Ｄｆ１の表面Ｄｆｓ１から入力デバイスの色再現領域Ｐの表面Ｐｓまでの領域Ｐｅは、入力デバイスのグレイ軸と入力デバイスの色再現領域Ｐの表面Ｐｓとを結ぶ線ＬＦ上から、出力デバイスのグレイ軸と各出力デバイスの色再現領域Ｂ、Ｃの表面Ｂｓ、Ｃｓとを結ぶ線ＬＳ上にマッピングするようにしている。
【００５４】
この第２実施例によれば、一旦、色一貫性を確立した後に、オペレータが出力デバイス２１の色データ、例えば、ＣＭＹＫ各色データ上で色調整を行ったとしても、色調整を行った出力デバイス２１の基準画像印刷物３１ｒと残りの出力デバイス２２、２３の印刷物３２ｒ、３３ｒの間の色一貫性を自動で保持することができる。
【００５５】
なお、この発明は、上述の実施形態に限らず、この明細書の記載内容に基づき、種々の構成を採りうることはもちろんである。
【００５６】
例えば、図５に示した色度ΔＦ分一律に内側に設定した色再現内側領域Ｄｆと、色度ΔＳ分一律内側に設定した共通色再現内側領域Ｄｓは、色再現領域Ｐと共通色再現領域Ｄのそれぞれ少しだけ内側にあればよいので、例えば、図１７に示すように、それぞれグレイ軸を中心に一定の半径Δｒ１、Δｒ２で囲まれる領域Ｄｆ´、Ｄｓ´に設定してもよく、いずれか一方、例えば、共通色再現内側領域Ｄｓのみをグレイ軸を中心に一定の半径Δｒ１で囲まれる領域Ｄｓ´に設定してもよい。
【００５７】
また、色再現領域Ａ、Ｂ、Ｃは、一般には、球に囲まれた範囲にはならないので、図１８に模式的に示すように、色再現領域Ａ´、Ｂ、Ｃの共通色再現領域Ｄ´の重心Ｇｃを求め、この重心Ｇｃから一定の距離Ｌｇで、かつ共通色再現領域Ｄ´の表面ＤＡｓ´、ＤＢｓ、ＤＣｓ内の範囲を共通色再現領域内側領域Ｄｓ´´に設定することもできる。図示はしないが、色再現領域Ｐについても、同様であり、色再現領域Ｐの重心から一定の距離で、かつ色再現領域Ｐの表面Ｐｓ内の範囲を色再現内側領域に設定することができる。
【符号の説明】
【００５８】
１０、１０Ａ…画像形成システム        １２…入力デバイス
１４…画像処理装置                    ２１〜２３…第１〜第３出力デバイス
３１〜３３、３２ｒ、３３ｒ…印刷物    ３１ｒ…基準画像印刷物
４１〜４３…第１〜第３標準変換部      ４４…入力プロファイル
５１〜５３…画像処理部                ６１〜６３…出力プロファイル
７１…色調整部
【図１】
2011155496.tif 000003
【図２】
2011155496.tif 000004
【図３】
2011155496.tif 000005
【図４】
2011155496.tif 000006
【図５】
2011155496.tif 000007
【図６】
2011155496.tif 000008
【図７】
2011155496.tif 000009
【図８】
2011155496.tif 000010
【図９】
2011155496.tif 000011
【図１０】
2011155496.tif 000012
【図１１】
2011155496.tif 000013
【図１２】
2011155496.tif 000014
【図１３】
2011155496.tif 000015
【図１４】
2011155496.tif 000016
【図１５】
2011155496.tif 000017
【図１６】
2011155496.tif 000018
【図１７】
2011155496.tif 000019
【図１８】
2011155496.tif 000020
【図１９】
2011155496.tif 000021